(57)【要約】【課題】印刷装置の操作部と端末とで最適且つ共通な操作画面を表示させることである。【解決手段】印刷装置としての複合機１の操作部、端末としてのＰＣ端末２及びモバイル端末３のうちのいずれか一つ又は複数から、操作画面の表示データ要求データが送信された場合に、複合機１により、表示データ要求データの送信元（操作元）が識別される。そして複合機１により、予め複合機１の記憶部に記憶された共通の基本表示データが前記識別結果に基づいて操作元に対応するようにデータ変換され、そのデータ変換された基本表示データから操作元に対応する操作画面の表示データが形成されて操作元に送信される。【選択図】  図１
2004227136.tif 000002
【特許請求の範囲】
【請求項１】
通信ネットワークを介して端末と接続され、前記端末からの操作入力により操作が可能な印刷装置において、
操作画面を表示可能に操作入力を受付ける操作部と、
前記端末及び前記操作部との通信制御を行う通信制御部と、
前記通信制御部により、操作画面の表示データの要求を示す表示データ要求データが、前記端末又は前記操作部から受信された場合に、その表示データ要求データの送信元である操作元を識別する操作元識別部と、
共通の操作画面の表示データである基本表示データを記憶する記憶部と、
前記操作元識別部の識別結果に基づいて、前記記憶部に記憶された基本表示データを操作元に対応するようにデータ変換するデータ変換部と、
前記データ変換部によりデータ変換された基本表示データから、実際の操作画面の表示データを形成する表示データ形成部とを備え、
前記通信制御部は、前記表示データ形成部により形成された表示データを、前記識別結果に基づいて操作元に送信することを特徴とする印刷装置。
【請求項２】
前記基本表示データは、共通の画像データである基本画像データと共通のテキストデータである基本テキストデータとを含み、
前記データ変換部は、前記操作元識別部の識別結果に基づいて、前記基本画像データのサイズ及び表示形式を操作元に対応するようにデータ変換する画像データ変換部と、前記識別結果に基づいて、前記基本テキストデータの表示形式を操作元に対応するようにデータ変換するテキストデータ変換部とを備え、
前記表示データ形成部は、前記画像データ変換部によりデータ変換された基本画像データと、前記テキストデータ変換部によりデータ変換された基本テキストデータとから、実際の操作画面の表示データを形成することを特徴とする請求項１に記載の印刷装置。
【発明の詳細な説明】
【０００１】
【発明の属する技術分野】
本発明は、印刷データを印刷する印刷装置に関する。
【０００２】
【従来の技術】
従来、ＬＡＮ（Ｌｏｃａｌ  Ａｒｅａ  Ｎｅｔｗｏｒｋ）等の通信ネットワークを介して複数の端末で共有されるネットワークプリンタがあった。ネットワークプリンタは、表示部及びタッチパネルからなる操作パネルを備え、ユーザがその操作画面を見ながら操作入力することにより各種操作を行うようになっている。また、端末側から、通信ネットワークを介してネットワークプリンタを遠隔操作する構成も考えられている。具体的には、端末側からの要求により、操作画面の表示データがネットワークプリンタから端末に送信され、送信された操作画面の表示データを端末の表示部に表示させ、その表示された操作画面を用いて操作データを入力部から入力することにより端末側からネットワークプリンタに送信する構成である。
【０００３】
また、サーバ−クライアントシステムにおいて、複数のクライアントが共用のグループウェアアプリケーションを実行する場合に、各クライアントの共用画面上のテレポインタの位置を修正して表示する構成が考えられている。例えば、各クライアントにおいて移動したテレポインタの論理座標をサーバに送信し、サーバにおいてその論理座標を他の端末に送信し、各クライアントはその論理座標に基づいて各共用画面のテレポインタの座標を修正する（例えば、特許文献１参照）。これは、各クライアントで共有画面の大きさを変更した場合等に、テレポインタの座標が各共有画面上で異なる位置を示す不具合を解消するためのものであった。
【０００４】
【特許文献１】
特開平６−９６１８１号公報
【０００５】
【発明が解決しようとする課題】
従来のネットワークプリンタを遠隔操作するシステムでは、複数種類の端末が存在する場合がある。端末の種類としては、ＰＣ（Ｐｅｒｓｏｎａｌ  Ｃｏｍｐｕｔｅｒ）端末、携帯電話等のモバイル端末等である。この場合には、操作画面データは、操作パネル及び各種端末用に別々に用意され、それぞれ異なる操作画面を表示する構成であるため、操作パネル及び各端末で操作画面の操作手順が異なり、ユーザが複数の操作画面及びその操作手順を覚えなければならず、操作が煩雑になるおそれがあった。
【０００６】
また、操作パネルに表示する操作画面データをそのまま各端末に送信すると、画面サイズが異なるため、各端末において表示される操作画面が崩れるおそれがあった。また、特許文献１に記載の発明は、１つのグループウェアアプリケーションを共有する構成であり、全クライアントの各共用画面においてグループウェアアプリケーションが同時に実行される構成であり、ネットワークプリンタと接続された各端末の各操作画面で別々の操作を行わせることには適用できなかった。
【０００７】
本発明の課題は、印刷装置の操作部と端末とで最適且つ共通な操作画面を表示させることである。
【０００８】
【課題を解決するための手段】
請求項１に記載の発明は、通信ネットワークを介して端末と接続され、前記端末からの操作入力により操作が可能な印刷装置において、
操作画面を表示可能に操作入力を受付ける操作部と、
前記端末及び前記操作部との通信制御を行う通信制御部と、
前記通信制御部により、操作画面の表示データの要求を示す表示データ要求データが、前記端末又は前記操作部から受信された場合に、その表示データ要求データの送信元である操作元を識別する操作元識別部と、
共通の操作画面の表示データである基本表示データを記憶する記憶部と、
前記操作元識別部の識別結果に基づいて、前記記憶部に記憶された基本表示データを操作元に対応するようにデータ変換するデータ変換部と、
前記データ変換部によりデータ変換された基本表示データから、実際の操作画面の表示データを形成する表示データ形成部とを備え、
前記通信制御部は、前記表示データ形成部により形成された表示データを、前記識別結果に基づいて操作元に送信することを特徴とする。
【０００９】
請求項１に記載の発明によれば、表示データ要求データから操作元が識別され、その識別結果に基づいて共通の基本表示データが操作元に対応するようにデータ変換され、そのデータ変換された基本表示データから操作画面の表示データが作成されて送信元に送信される。このため、操作元である操作部及び端末において、前記表示データを用いて最適且つ共通な操作画面を表示することができる。
よって、ユーザにとっては、共通な操作画面での操作手順を覚えるだけでよく、操作手順を覚える負担を軽減でき且つ迅速に操作することができる。また、操作元の種類の数に関わらず基本表示データのみを用意すればよいので、印刷装置の開発コストを軽減することができる。
【００１０】
請求項２に記載の発明は、請求項１に記載の印刷装置において、
前記基本表示データは、共通の画像データである基本画像データと共通のテキストデータである基本テキストデータとを含み、
前記データ変換部は、前記操作元識別部の識別結果に基づいて、前記基本画像データのサイズ及び表示形式を操作元に対応するようにデータ変換する画像データ変換部と、前記識別結果に基づいて、前記基本テキストデータの表示形式を操作元に対応するようにデータ変換するテキストデータ変換部とを備え、
前記表示データ形成部は、前記画像データ変換部によりデータ変換された基本画像データと、前記テキストデータ変換部によりデータ変換された基本テキストデータとから、実際の操作画面の表示データを形成することを特徴とする。
【００１１】
請求項２に記載の発明によれば、基本表示データが基本画像データ及びテキスト画像データを含み、操作元の画面サイズ及び表示形式に対応するように基本画像データがデータ変換され、操作元の表示形式に対応するように基本テキストデータがデータ変換され、そのデータ変換された基本画像データ及びテキスト画像データから表示データが作成されるので、操作元において最適な画面サイズ及び表示形式に対応する表示データの操作画面を表示させることができる。
【００１２】
【発明の実施の形態】
以下、添付図面を参照して、本発明に係る実施の形態を説明する。
【００１３】
先ず、図１〜図４を参照して、本実施の形態の装置の特長を説明する。図１は、本実施の形態における印刷システムαの構成を示す図である。図２は、印刷システムαの複合機１の内部構成を示すブロック図である。図３は、印刷システムαのＰＣ端末２の内部構成を示すブロック図である。図４は、印刷システムαのモバイル端末３の内部構成を示すブロック図である。
【００１４】
図１に示すように、本実施の形態に係る印刷システムαは、プリンタ機能、ＦＡＸ機能、複写機能及びスキャン機能を有して記録紙等に印刷データの印刷を行う印刷装置としての複合機１と、複合機１を遠隔操作する機能を有する端末としてのＰＣ端末２と、複合機１を遠隔操作する機能を有する携帯電話等の端末としてのモバイル端末３とから構成され、各機器は通信ネットワーク４により通信接続される。また、ＰＣ端末２及びモバイル端末３から複合機１への画像データの送信により、複合機１においてその画像データの印刷、複写及びＦＡＸ送信などが可能な構成とする。つまり、複合機１は、ＰＣ端末２及びモバイル端末３で共有の印刷装置となる。
【００１５】
図２に示すように、複合機１は、操作画面を表示可能に各種操作入力を受付る操作部１１と、操作部１１の制御を行う操作部制御部１２と、通信ネットワーク４へのデータ送受信を制御する通信ネットワーク制御部１３と、操作部制御部１２及び通信ネットワーク制御部１３と接続されて操作元を識別する操作元識別部１４と、共通な操作画面の基本となる基本表示データを記憶する記憶部１５と、操作元識別部１４及び記憶部１５と接続されて基本表示データを各操作元用にデータ変換するデータ変換部１６と、データ変換部１６によりデータ変換された基本表示データから操作画面の表示データを形成して操作部制御部１２又は通信ネットワーク制御部１３に送信する表示データ形成部１７を備える。操作元とは、複合機１の操作入力が行われる操作部１１、ＰＣ端末２及びモバイル端末３のうちのいずれか一つ又は複数である。
【００１６】
また、複合機１は、画像が記録された記録紙等から画像データを読取る読取り部１８と、記録紙等の記録媒体に印刷データを記録する印刷部１９と、プリンタ機能、複写機能、ＦＡＸ機能及びスキャン機能の実行を制御する機能制御部２０とを備える。機能制御部２０は、各機能において読取り部１８における画像データ読取り及び印刷部１９における印刷データのプリント出力を制御し、ＦＡＸ機能において電話回線へのＦＡＸデータの送受信を制御し、プリンタ機能において通信ネットワーク制御部１３を介して受信した印刷データのプリント出力を制御する。また、機能制御部２０は、操作部制御部１２及び通信ネットワーク制御部１３から操作データを受信してその操作データに基づいて各機能の実行を操作制御する。
【００１７】
また、操作パネル制御部１２及び通信ネットワーク制御部１３をまとめて、通信制御部Ａとする。また、操作部１１は、操作画面の表示機能とユーザの入力を受付ける入力機能との両方を有し、例えば、ＬＣＤ（Ｌｉｑｕｉｄ  Ｃｒｙｓｔａｌ  Ｄｉｓｐｌａｙ）又はＥＬ（Ｅｌｅｃｔｒｏ  Ｌｕｍｉｎｅｓｃｅｎｃｅ）ディスプレイ等の表示部及びタッチパネルで構成されるが、表示部と操作キー等の入力部とにより構成してもよく、表示部とタッチパネルと操作キー等の入力部とを組合わせる構成でもよい。
【００１８】
図３に示すように、ＰＣ端末２は、各部の中央制御を行うＣＰＵ２１と、ユーザによる情報の入力を受付ける入力部２２と、情報を一時的に格納するＲＡＭ２３と、情報を表示する表示部２４と、読み書き可能に情報を記憶する記憶部２５と、通信ネットワーク４を介する情報の送受信を制御する通信部２６とから構成され、各部はバス２７により通信接続される。
【００１９】
ＣＰＵ２１は、記憶部２５に記憶されているシステムプログラム及び各種アプリケーションプログラムの中から指定されたアプリケーションプログラムを読み出してＲＡＭ２３に展開する。そして、ＣＰＵ２１は、入力部２２から入力される各種指示又はそれに応じた各種データをＲＡＭ２３内に一時的に格納し、この入力指示及び入力データを用いて前記展開されたアプリケーションプログラムに従って各種処理を実行する。そして、ＣＰＵ２１は、その処理結果をＲＡＭ２３内に格納すると共に、表示部２４に表示させる。
【００２０】
入力部２２は、カーソルキー、数字入力キー及び各種機能キー等を備えたキーボードを含み、操作者によりキーボードで押下された押下信号をＣＰＵ２１に出力する。また、入力部２２は、ポインティングデバイスとしてマウス等を更に含み、操作者により入力されたポインティングデバイスの位置信号をＣＰＵ２１に出力する構成でもよい。
【００２１】
表示部２４は、ＬＣＤを備え、ＣＰＵ２１から入力される表示指示に従って各種表示データの画面表示を行う。また、ＬＣＤに代えて、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）又はＥＬディスプレイ等を備えることとしてもよい。
【００２２】
記憶部２５は、プログラムやデータなどが予め記憶されまたは書込み可能な記録媒体を有する。その記録媒体は、磁気的、光学的記録媒体若しくは半導体等の不揮発性メモリ等のＣＰＵ２１が読取り可能な記録媒体で構成されている。また、記録媒体は、ハードディスク等の記憶装置に固定的に設けたものとする。しかし、これに限るものではなく、ＣＤ−ＲＯＭ、ＤＶＤやメモリカード等の着脱自在に装着する可搬型のものでもよい。
【００２３】
通信部２６は、通信ネットワーク４との有線又は無線通信を行うモデム、ＴＡ、ルータ等から構成される。
【００２４】
図４に示すように、モバイル端末３は、各部の中央制御を行うＣＰＵ３１と、ユーザによる情報の入力を受付ける入力部３２と、情報を一時的に格納するＲＡＭ３３と、情報を表示する表示部３４と、読み書き可能に情報を記憶する記憶部３５と、通信ネットワーク４を介する情報の送受信を制御する通信部３６と、ユーザの音声通話を実行する通話部３７とから構成され、各部はバス３８により通信接続される。
【００２５】
ＣＰＵ３１、入力部３２、ＲＡＭ３３、表示部３４、記憶部３５、通信部３６は、ＰＣ端末２のＣＰＵ２１、入力部２２、ＲＡＭ２３、表示部２４、記憶部２５、通信部２６と同様の機能を有するので、説明の重複を避けるため、異なる構成を主として説明する。
【００２６】
入力部３２は、ユーザの入力を受付ける操作キー等により構成される。表示部３４は、ＬＣＤ又はＥＬディスプレイ等により構成される。記憶部３５は、フラッシュＲＯＭ等により構成される。通信部３６は、通信ネットワーク４と無線通信を行う。通話部３７は、ユーザの音声を電気信号に変換するマイク及び電気信号を音声出力するスピーカ等により構成される。これらの電気信号は、通信部３６により、通信ネットワーク４（の電話回線）を介して通話の相手先に送受信される。
【００２７】
なお、印刷システムαの端末として、ＰＣ端末２及びモバイル端末３を設けたが、これに限るものではなく、端末としてＴＶ端末、ゲーム機端末、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙｐｈｏｎｅ  Ｓｙｓｔｅｍ）等の他の端末を用いる構成でもよい。また、印刷システムαの端末の種類毎の台数は、１台に限るものではなく、他の台数でもよい。また、端末の種類の数は、２種類に限るものではなく、他の種類の数でもよい。
【００２８】
また、通信ネットワーク４は、有線及び無線のＬＡＮ、電話回線網及び無線通信回線に限るものではなく、ＷＡＮ（Ｗｉｄｅ  Ａｒｅａ  Ｎｅｔｗｏｒｋ）を含めてもよく、ＩＳＤＮ回線網、広帯域通信回線網、専用線、移動体通信網、通信衛星回線、ＣＡＴＶ回線、光通信回線と、それらを接続するインターネットサービスプロバイダ等を含む構成でもよい。
【００２９】
次に、図５を参照して印刷システムαにおける動作を説明する。図５は、複合機１において実行される表示データ送信処理を示すフローチャートである。ユーザが操作部１１、ＰＣ端末２又はモバイル端末３から、複合機１の操作入力を行うにあたり、操作部１１、ＰＣ端末２又はモバイル端末３からの操作画面の表示データ要求に応じて、操作画面の表示データを操作元である操作部１１、ＰＣ端末２又はモバイル端末３に送信する表示データ送信処理を説明する。
【００３０】
先ず、ユーザにより操作部１１、ＰＣ端末２の入力部２２又はモバイル端末３の入力部３２から、複合機１の操作要求が入力される。この操作要求のタイミングは、新規に操作を始める場合でもよく、既に操作中で次の操作画面を表示させる場合でもよい。そして、入力された操作要求に基づき、操作部１１から操作画面の表示データ要求データが操作部制御部１２に送信され又はＰＣ端末２の通信部２６若しくはモバイル端末３の通信部３６から、操作画面の表示データ要求データが通信ネットワーク４を介して通信ネットワーク制御部１３に送信される。
【００３１】
表示データ要求データには、操作部１１、ＰＣ端末２及びモバイル端末３のうちのいずれが操作元（表示データ要求データの送信元）であるかを識別するための操作元識別データが含まれている。操作部制御部１２又は通信ネットワーク制御部１３における表示データ要求データの受信をトリガとして、複合機１において表示データ送信処理が実行される。
【００３２】
図５に示すように、先ず、操作元識別部１４により、操作部制御部１２又は通信ネットワーク制御部１３において受信された表示データ要求データ内の操作元識別データが読み出され、操作部１１、ＰＣ端末２及びモバイル端末３のいずれが操作元であるかが識別され、その識別結果を示す識別結果データが作成されてデータ変換部１６に送信される（ステップＳ１１）。
【００３３】
そして、データ変換部１６により、識別結果データが操作元識別部１４から受信されて、共通な操作画面の表示データの元となる基本表示データが記憶部１５から読み出される（ステップＳ１２）。基本表示データは、共通な操作画面の画像イメージとしての基本画像データと、テキストデータとしての基本テキストデータとから構成される。
【００３４】
そして、データ変換部１６により、受信された識別結果データに基づいて、記憶部１５から読み出された基本表示データが、操作元に対応するようにデータ変換されて、その変換データ及び識別結果データが表示データ形成部１７に送信される（ステップＳ１３）。ステップＳ１３におけるデータ変換を具体的に説明すると、予め、操作元識別データに対応する画面サイズ及び表示形式が記憶部１５に記憶されており、データ変換部１６により、識別結果データに対応する画面サイズ及び表示形式が記憶部１５から読み出される。そして、画像データ変換部１６ａにより、読み出された画面サイズ及び表示形式に基づいて、基本表示データ中の基本画像データが、操作元の表示形式と操作元の表示部の画面サイズとに応じた最適な表示形式及び画面サイズの画像データに変換される。また、テキストデータ変換部１６ｂにより、読み出された表示形式に基づいて、基本表示データ中の基本テキストデータが操作元に最適な表示形式に変換される。
【００３５】
モバイル端末３を例にとると、メーカ別等により、Ｃ（Ｃｏｍｐａｃｔ）−ＨＴＭＬ（ＨｙｐｅｒＴｅｘｔ  Ｍａｒｋｕｐ  Ｌａｎｇｕａｇｅ）、ＨＤＭＬ（Ｈａｎｄｈｅｌｄ  Ｄｅｖｉｃｅ  Ｍａｒｋｕｐ  Ｌａｎｇｕａｇｅ）、ＭＭＬ（Ｍｏｂｉｌｅ  Ｍａｒｋｕｐ  Ｌａｎｇｕａｇｅ）等の複数種類の表示形式が存在する。他の表示形式としては、ＸＨＴＭＬ（ｅＸｔｅｎｓｉｂｌｅ  Ｈｙｐｅｒ  Ｔｅｘｔ  Ｍａｒｋｕｐ  Ｌａｎｇｕａｇｅ）、ＸＭＬ（ｅＸｔｅｎｓｉｂｌｅ  Ｍａｒｋｕｐ  Ｌａｎｇｕａｇｅ）等の表示形式がある。変換データは、変換後の画像データと、変換後のテキストデータとを含むデータである。
【００３６】
そして、表示データ形成部１７により、変換データ及び識別結果データがデータ変換部１６から受信され、その変換データに基づいて表示データが形成され、識別結果データに基づいて、操作元と通信する操作部制御部１２又は通信ネットワーク制御部１３にその表示データが送信される（ステップＳ１４）。ステップＳ１４における表示データ形成を具体的に説明すると、変換データ内の、変換後の画像データと、変換後のテキストデータとが組合わされて操作画面イメージを示す表示データが形成される。
【００３７】
そして、操作元と通信する操作部制御部１２又は通信ネットワーク制御部１３により、表示データが表示データ形成部１７から受信されて、その表示データが、操作元である操作部１１、ＰＣ端末２及びモバイル端末３のうちのいずれか一つに送信され（ステップＳ１５）、表示データ送信処理が終了される。
【００３８】
ステップＳ１５において、操作部制御部１２から操作部１１に表示データが送信された場合に、操作部１１は、操作部１１の表示形式及び画面サイズに対応する表示データを受信し、その表示データの操作画面を表示する。ステップＳ１５において、通信ネットワーク制御部１３からＰＣ端末２又はモバイル端末３に表示データが送信された場合に、ＰＣ端末２又はモバイル端末３は、ＰＣ端末２又はモバイル端末３の表示形式及び画面サイズに対応する表示データを通信ネットワーク４を介して受信し、その表示データの操作画面を表示部２４又は表示部３４に表示する。
【００３９】
本実施の形態によれば、操作部１１、ＰＣ端末２又はモバイル端末３から送信された表示データ要求データに基づいて操作元を識別し、その識別結果に基づいて共通の基本表示データを操作元に対応するようにデータ変換し、そのデータ変換された基本表示データから操作画面の表示データを作成して送信元に送信する。このため、操作元である操作部１１、ＰＣ端末２及びモバイル端末３で最適且つ共通な操作画面をそれぞれ表示することができる。
【００４０】
よって、ユーザにとっては、操作部１１、ＰＣ端末２及びモバイル端末３のうちのいずれか一つで操作画面に対応する操作手順を覚えれば、他の装置で操作を行う場合にも同じ操作手順で操作することができ、操作手順を覚える負担を軽減でき且つ迅速に操作することができる。また、複合機１の製造者にとっては、各操作元で共通な基本表示データのみを用意すればよいので、操作元毎に異なる表示データを用意する構成に比べて、開発コストを軽減することができる。特に、予め設置された端末と異なる種類の端末を印刷システムαに新たに設ける場合にも、新たに操作画面の表示データを用意することなく、その新しい端末を容易に導入することができる。
【００４１】
また、基本表示データは、基本画像データ及び基本テキストデータから構成され、操作元の画面サイズ及び表示形式に対応するように基本画像データをデータ変換し、操作元の表示形式に対応するように基本テキストデータをデータ変換し、そのデータ変換されたデータから表示データが作成されるので、操作元で最適な画面サイズ及び表示形式に対応する表示データの操作画面を表示させることができる。
【００４２】
なお、本実施の形態においては、操作部１１、ＰＣ端末２及びモバイル端末３から複合機１に送信される表示データ要求データに操作元識別データが含まれているものとして説明したが、更に、操作元の画面サイズ及び表示形式を示すデータを表示データ要求データに含ませる構成でもよい。この場合には、予め、操作元識別データに対応する画面サイズ及び表示形式を記憶部１５に記憶させておく構成でなくてよい。
【００４３】
また、本実施の形態においては、印刷装置として、プリンタ機能、ＦＡＸ機能複写機能及びスキャン機能を有する複合機１を用いて説明したが、これに限るものではない。少なくとも印刷データを記録紙等の記録媒体にプリント出力可能な印刷装置であればよい。
【００４４】
以上、本発明の実施の形態につき説明したが、本発明は、必ずしも上述した手段及び手法にのみ限定されるものではなく、本発明にいう目的を達成し、本発明にいう効果を有する範囲内において適宜に変更実施が可能なものである。
【００４５】
【発明の効果】
請求項１に記載の発明によれば、表示データ要求データから操作元が識別され、その識別結果に基づいて共通の基本表示データが操作元に対応するようにデータ変換され、そのデータ変換された基本表示データから操作画面の表示データが作成されて送信元に送信される。このため、操作元である操作部及び端末において、前記表示データを用いて最適且つ共通な操作画面を表示することができる。
よって、ユーザにとっては、共通な操作画面での操作手順を覚えるだけでよく、操作手順を覚える負担を軽減でき且つ迅速に操作することができる。また、操作元の種類の数に関わらず基本表示データのみを用意すればよいので、印刷装置の開発コストを軽減することができる。
【００４６】
請求項２に記載の発明によれば、基本表示データが基本画像データ及びテキスト画像データを含み、操作元の画面サイズ及び表示形式に対応するように基本画像データがデータ変換され、操作元の表示形式に対応するように基本テキストデータがデータ変換され、そのデータ変換された基本画像データ及びテキスト画像データから表示データが作成されるので、操作元において最適な画面サイズ及び表示形式に対応する表示データの操作画面を表示させることができる。
【図面の簡単な説明】
【図１】本発明の実施の形態に係る印刷システムαの構成を示す図である。
【図２】印刷システムαの複合機１の内部構成を示すブロック図である。
【図３】印刷システムαのＰＣ端末２の内部構成を示すブロック図である。
【図４】印刷システムαのモバイル端末３の内部構成を示すブロック図である。
【図５】複合機１において実行される表示データ送信処理を示すフローチャートである。
【符号の説明】
α…印刷システム
１…複合機
１１…操作部
Ａ…通信制御部
１２…操作部制御部
１３…通信ネットワーク制御部
１４…操作元識別部
１５…記憶部
１６…データ変換部
１６ａ…画像データ変換部
１６ｂ…テキストデータ変換部
１７…表示データ形成部
１８…読取り部
１９…印刷部
２０…機能制御部
２…ＰＣ端末
３…モバイル端末
２１，３１…ＣＰＵ
２２，３２…入力部
２３，３３…ＲＡＭ
２４，３４…表示部
２５，３５…記憶部
２６，３６…通信部
２７，３８…バス
３７…通話部
４…通信ネットワーク
【図１】
2004227136.tif 000003
【図２】
2004227136.tif 000004
【図３】
2004227136.tif 000005
【図４】
2004227136.tif 000006
【図５】
2004227136.tif 000007